(57)【要約】【課題】  コイルを構成する導線同士の接続作業を不要にすると共に、２端子又は３端子のどちらの電気音響変換器としても使用することが可能な電気音響変換器を提供することを目的とする。【解決手段】  基部２２には、導線３２，３３の端部が固定されるコイル側端子部３４，３７，３８，４４と、外部から信号が入力される信号入力用端子部３５，３９，４５とが設けられ、コイル側端子部３４，３７，３８，４４と信号入力用端子部３５，３９，４５とは、基部２２の内部においてそれぞれ電気的に接続されている。  【選択図】          図３
2005244380.tif 000002
【特許請求の範囲】
【請求項１】
導線が巻回されることにより構成されるコイルと、一対の磁石と、アーマチュア部とがハウジング内に配設された電気音響変換器であって、
前記導線が巻回されて前記コイルが形成されると共に、前記一対の磁石が所定間隔を有して固定されるボビン部を有し、
前記ボビン部には、前記導線の端部が接続される複数のコイル側端子部が設けられており、
前記導線は第１の導線と、前記第１の導線と電気的に接続される第２の導線とにより構成され、
前記第１の導線と前記第２の導線の各端部は、それぞれ前記複数のコイル側端子部に接続されていることを特徴とする電気音響変換器。
【請求項２】
導線が巻回されることにより構成されるコイルと、一対の磁石と、アーマチュア部とがハウジング内に配設された電気音響変換器であって、
前記導線が巻回されて前記コイルが形成されると共に、前記一対の磁石が所定間隔を有して固定されるボビン部を有し、
前記ボビン部には、前記導線の端部が接続される複数のコイル側端子部が設けられており、
前記導線は第１の導線と、前記第１の導線と電気的に接続される第２の導線とにより構成され、
前記コイル側端子部は、前記第１の導線の一端と接続される第１端子部と、前記第２の導線の一端及び前記第１の導線の他端と接続される第２端子部と、前記第２の導線の他端と接続される第３端子部と、を備えることを特徴とする電気音響変換器。
【請求項３】
前記第２端子部は、前記第２の導線の一端と接続される第１絡げ部と、
前記第１の導線の他端と接続される第２絡げ部との、２つの導線絡げ部を備えることを特徴とする請求項２記載の電気音響変換器。
【請求項４】
前記第１の導線と前記第２の導線は、前記ボビン部に友巻きされていることを特徴とする請求項１から請求項３の何れかに記載の電気音響変換器。
【発明の詳細な説明】
【技術分野】
【０００１】
本願発明は、補聴器等に用いられるバランスドアーマチュア型の電気音響変換器に関するものである。
【背景技術】
【０００２】
この種の電気音響変換器として、たとえば特開昭５８−９９０９９号公報に開示されたようなものが知られている。この特開昭５８−９９０９９号公報に開示された電気音響変換器は、ハウジングとしてのケースと、ケース内に配設される駆動ユニット部とを有している。駆動ユニット部は、板状の部材と、コイルと、一対の磁石と、ヨークとからなる。板状の部材は、基板部と、基板部の両端部より平行に延びた側板部と、基板部の中央部より側板部間に延びたアーマチュアとからなる。コイルは、板状の部材の側板部の内面に接着されている。一対の磁石は、ヨークの内部の相対向する面に夫々が固定されており、ヨークの両側面と板状の部材の側板部の先端部内面とが固定されている。板状の部材とヨークとが固定された状態において、アーマチュアの先端部は、一対の磁石に接触しないように、磁石間に挿入されている。駆動ユニット部は、ヨークの下面がケースの底面に固定されることにより、ケースに固定される。
【０００３】
コイルの端部は、ケースに形成された孔を介して、信号入力用端子部としての端子板に接続されている。この端子板は、ケースの側面に固定されている。この種の電気音響変換器においては、コイルを構成する導線として、通常、２５μｍ程度の極めて細い銅線を用いている。
【０００４】
【特許文献１】特開昭５８−９９０９９号公報
【発明の開示】
【発明が解決しようとする課題】
【０００５】
しかしながら、特開昭５８−９９０９９号公報に開示されたような電気音響変換器では、コイルを構成する導線が極めて細いために導線の端部の取り扱いが難しいものである。また、複数の導線を巻回したものを３端子の電気音響変換器として使用したり、あるいは２端子の電気音響変換器として使用したりを選択できるものにおいては、この導線の端部同士を組合せにより接合しなければならず、接続作業は導線の細さ故に容易に行うことができないという問題点を有している。また、２端子の電気音響変換器として製造するか、あるいは３端子の電気音響変換器として製造するかを選択する場合、ラインや製造方法を変更しなければならず製造コストを上昇させるといった問題もあった。
【０００６】
本発明は上述の点に鑑みてなされたもので、 コイルを構成する導線同士の接続作業を不要にすると共に、２端子又は３端子のどちらの電気音響変換器としても使用することが可能な電気音響変換器を提供することを目的とする。
【課題を解決するための手段】
【０００７】
本発明に係る電気音響変換器は、導線が巻回されることにより構成されるコイルと、一対の磁石と、アーマチュア部とがハウジング内に配設された電気音響変換器であって、前記導線が巻回されて前記コイルが形成されると共に、前記一対の磁石が所定間隔を有して固定されるボビン部を有し、前記ボビン部には、前記導線の端部が接続される複数のコイル側端子部が設けられており、前記導線は第１の導線と、前記第１の導線と電気的に接続される第２の導線とにより構成され、前記第１の導線と前記第２の導線の各端部は、それぞれ前記複数のコイル側端子部に接続されていることを特徴とするものである。
【０００８】
また、導線が巻回されることにより構成されるコイルと、一対の磁石と、アーマチュア部とがハウジング内に配設された電気音響変換器であって、前記導線が巻回されて前記コイルが形成されると共に、前記一対の磁石が所定間隔を有して固定されるボビン部を有し、前記ボビン部には、前記導線の端部が接続される複数のコイル側端子部が設けられており、前記導線は第１の導線と、前記第１の導線と電気的に接続される第２の導線とにより構成され、前記コイル側端子部は、前記第１の導線の一端と接続される第１端子部と、前記第２の導線の一端及び前記第１の導線の他端と接続される第２端子部と、前記第２の導線の他端と接続される第３端子部と、を備えることを特徴とするものである。
【０００９】
さらに、前記第２端子部は、前記第２の導線の一端と接続される第１絡げ部と、前記第１の導線の他端と接続される第２絡げ部との、２つの導線絡げ部を備えることを特徴とするものである。
【００１０】
また、前記第１の導線と前記第２の導線は、前記ボビン部に友巻きされていることを特徴とするものである。
【００１１】
本発明に係る電気音響変換器では、第１の導線と第２の導線のように複数の導線により形成されたコイルを端子部に接続する際に、導線の端部に対応した端子部それぞれに接続すれば良く、接続作業を容易に行うことができる。
【００１２】
また、本発明に係る電気音響変換器では、第１の導線の一端と接続される第１端子部と、第２の導線の一端及び第１の導線の他端と接続される第２端子部と、第２の導線の他端と接続される第３端子部とを備えているため、第１端子部及び第２端子部及び第３端子部を利用して３端子の電気音響変換器として使用することも可能でありまた、第２端子部に第１の導線と第２の導線が接続されていることから、第１端子部及び第３端子部を利用して２端子の電気音響変換器として使用することも可能である。このように、２種類の端子形式の電気音響変換器として使用することが可能となる。
【００１３】
さらに、本発明に係る電気音響変換器では、第２端子部は、第２の導線の一端と接続される第１絡げ部と、第１の導線の他端と接続される第２絡げ部との２つの導線絡げ部を備えているため、導線絡げ部への導線の接続が容易になる上、導線の断線が発生するのを抑制することができる。
【００１４】
また、本発明に係る電気音響変換器では、第１の導線と第２の導線がボビン部に友巻きされているため、第２端子部を中間タップとするコイルを形成することが可能となり、この中間タップを利用してプッシュプル方式による駆動が可能となり、低電圧の状況下でもより強力な磁力を発生する磁気回路として使用することが可能になる。
【発明を実施するための最良の形態】
【００１５】
以下、図面を用いて、本願発明の実施の形態について説明する。
【００１６】
図１は、本発明の実施形態に係る電気音響変換器の斜視図であり、図２は、同じく電気音響変換器の分解斜視図である。
【００１７】
電気音響変換器１は、図１及び図２に示されるように、ハウジング２とシールドプレート６とを有している。ハウジング２はトップハウジング４とボトムハウジング５とからなり、トップハウジング４とボトムハウジング５とは、シールドプレート６を挟持した状態でレーザー溶接及び接着剤等を用いることにより互いに固定される。ボトムハウジング５は上面が開口した箱形状を呈しており、この上面開口部は、シールドプレート６にて覆われ、ボトムハウジング５とシールドプレート６とで画成される空間には、駆動ユニット部１０が配設される。駆動ユニット部１０は、シールドプレート６につり下げられた状態でレーザー溶接等によりに固定される。また、シールドプレート６の上面には、ダイヤフラムユニット部３が、レーザー溶接及び接着剤等を用いることにより固定される。
【００１８】
シールドプレート６上のダイヤフラムユニット部３はトップハウジング４により覆われている。トップハウジング４には、その一部に切欠部７が形成されており、この切欠部７を介して、ダイヤフラムユニット部３とトップハウジング４とで画成される空間とハウジング２外の空間とが連通する。さらに、この切欠部７前面には、ノーズ１５が取り付けられており、切欠部７から出力される音の経路を変更している。また、ボトムハウジング５の側部には、図２に示されるように、切欠部８が形成されている。
【００１９】
シールドプレート６は、駆動ユニット部１０をノイズからシールドする金属板により構成されるプレートである。また、シールドプレート６には、駆動ユニット部１０を位置決め及び固定するための位置決孔６１が形成されている。さらに、後述する駆動ピン４１をシールドプレート６の上面に載置されるダイヤフラムユニット部３に連通させるための開口部６２が形成され、また、後述するコイル側端子部３４，３７，３８，４４が内包される端子用開口部６３が形成される。
【００２０】
次に、駆動ユニット部１０の構成について、図３〜図５に基づいて説明する。図３は、ボビン部２１の正面図であり、図４は、同じく斜視図であり、図５は、図４に導線３２，３３を巻回した状態を示す斜視図である。駆動ユニット部１０は、アーマチュア部１１、ボビン部２１、一対の磁石３１，３１、及び、駆動ピン４１を有している。
【００２１】
アーマチュア部１１は、金属板を平面視で略Ｅ字状に折り曲げ加工した板状の部材であり、基板部１２と、基板部１２の両端部から延びる一対の側板部１３，１３と、基板部１２の中央部から側板部１３，１３間を延びるアーマチュア１４と、を有している。なお、アーマチュア部１１の形状は、側面視で略Ｕ字型のようなアーマチュア部であってもよい。
【００２２】
ボビン部２１は、基部２２、導線３２，３３が巻回されるコイル巻回部２３、及び、一対の磁石３１，３１が位置決めされる磁石位置決め部２４を有しており、これらの基部２２と、コイル巻回部２３と、磁石位置決め部２４とは樹脂材料により一体成型されているか、もしくは、接着剤等により一体的に固定されている。また、ボビン部２１には、ボビン突起１６が形成されており、シールドプレート６に形成された位置決孔６１に嵌合される。これにより、ボビン部２１がシールドプレート６に対して位置決めされるため、駆動ユニット部１０がシールドプレート６に対して位置決めされることになる。
【００２３】
基部２２は、駆動ユニット部１０のアーマチュア部１１の基板部１２と略平行となる面を構成している。基部２２の中央部には、アーマチュア１４が貫通する穴部２５が形成されている。また、基部２２には、導線３２，３３の端部が固定されるコイル側端子部３４，３７，３８，４４と、外部から信号が入力される信号入力用端子部３５，３９，４５とが、設けられている。コイル側端子部３４，３７，３８，４４と信号入力用端子部３５，３９，４５とは、基部２２の内部においてそれぞれ電気的に接続されており、ボビン部２１を一体成形するときに、基部２２を構成する部分に、コイル側端子部３４，３７，３８，４４と信号入力用端子部３５，３９，４５とを構成する導電性を有した金属板Ｐ，Ｑ，Ｒがインサートされることにより、図３に示されるように、基部２２の中央部に金属板Ｑを配置し、また金属板Ｑを挟んで相対向する端部に金属板Ｐ，Ｒが設けられる。
【００２４】
上記についてさらに詳説すると、図３から図５に示すように、信号入力用端子部３５は、コイル側端子部３４と基部２２の内部において電気的に接続されており、金属板Ｐにより構成されている。そしてこのコイル側端子部３４には、導線３２の一端が固定されている。また、信号入力用端子部３９は、コイル側端子部３７，３８と基部２２の内部において電気的に接続されており、金属板Ｑにより構成されている。そしてコイル側端子部３７には導線３２の他端が固定されており、また、コイル側端子部３８には導線３３の一端が固定されている。このように、コイル側端子部３７とコイル側端子部３８は基部２２の内部において電気的に接続されている。さらに、信号入力用端子部４５は、コイル側端子部４４と基部２２の内部において電気的に接続されており、金属板Ｒにより構成されている。そして、導線３３の他端が固定されている。
【００２５】
基部２２の信号入力用端子部３５，３９，４５が設けられる部分は、図３及び図４に示されるように、信号入力用端子部３５，３９，４５の端部に向って突出した突部２６が一体に形成されている。切欠部８は、ボトムハウジング５の信号入力用端子部３５，３９，４５及び突部２６に対応した位置に形成されており、駆動ユニット部１０がボトムハウジング５に対して組み付けられるときに、ボトムハウジング５の側部に形成された切欠部８に嵌合される。駆動ユニット部１０がボトムハウジング５に嵌合された状態においては、突部２６の一部及び信号入力用端子部３５，３９，４５がハウジング２の外に突出することになる。突部２６と切欠部８との間には接着剤が塗布される。
【００２６】
コイル巻回部２３は、図４に示されるように、基部２２と壁部２９との間をつなぐように、所定距離隔てて設けられた一対の腕部２３ａ，２３ｂからなり、この腕部２３ａ，２３ｂに導線３２，３３が巻回されることにより、コイル３６が形成される。本実施形態においては、導線３２，３３として線径が４０μｍ程度の銅線を用いており、導線３２，３３をコイル巻回部２３にそれぞれ８００回程度巻回している。導線３２，３３の端部は、コイル側端子部３４，３７，３８，４４にからげられ、その後アーク溶接されることによりコイル側端子部３４，３７，３８，４４に固定されて、接続されている。
【００２７】
磁石位置決め部２４は、図４に示されるように、壁部２９から延びて設けられており、この磁石位置決め部２４には、一対の磁石３１，３１が所定の間隔を有した状態で位置決めするための間隙形成部２７，２７が形成されている。磁石３１，３１が間隙形成部２７，２７を挟持することにより、磁石３１，３１の間にアーマチュア１４の先端部が挿入されるための間隙が構成されることになる。磁石３１，３１は、磁石位置決め部２４の外側に設けられた磁石保持部２８に対して接着等により固定される。この磁石保持部２８は、磁石位置決め部２４（ボビン部２１）とは別材料の磁性体からなり、ボビン部２１を一体成型もしくは接着剤固定するときに、磁石位置決め部２４を構成する部分の外側に配設されることにより、磁石位置決め部２４（ボビン部２１）と一体的に設けられる。
【００２８】
駆動ピン４１は、後述するダイヤフラム５２と略平行なダイヤフラム側平面部４２と、このダイヤフラム側平面部４２とは略直交する方向に延びてアーマチュア１４の端部に固定されるアーマチュア側平面部４３とを有している。これらのダイヤフラム側平面部４２とアーマチュア側平面部４３とは、金属板を略Ｌ字状に折り曲げることにより、一体に成形されている。
【００２９】
アーマチュア部１１とボビン部２１とは、アーマチュア１４が基部２２の穴部２５から挿入され、コイル３６内及び、磁石３１，３１の間に形成された間隙を貫通して、アーマチュア１４の端部がボビン部２１（磁石位置決め部２４）の端部より突出した状態で、組み付けられる。アーマチュア部１１とボビン部２１との組み付けは、磁石保持部２８にアーマチュア部１１の側板部１３，１３をレーザー溶接等で固定することにより行われる。磁石保持部２８に側板部１３，１３が固定されて、アーマチュア部１１とボビン部２１とが組み付けられた状態においては、ボビン部２１の基部２２とアーマチュア部１１の基板部１２との間には所定の間隙が形成されている。
【００３０】
駆動ピン４１のアーマチュア側平面部４３は、ボビン部２１（磁石位置決め部２４）の端部より突出したアーマチュア１４の端部にレーザー溶接等で固定される。駆動ピン４１には、アーマチュア１４の端部に固定するときの位置決め部（図示せず）が一体に形成されており、この位置決め部は、アーマチュア側平面部４３がアーマチュア１４の端部に固定された後に、駆動ピン４１（アーマチュア側平面部４３）から切断されて切り離される。
【００３１】
次に、ダイヤフラムユニット部３は、枠体としてのダイヤフラムフレーム５１、略平板状の振動板としてのダイヤフラム５２、及び、振動膜（ダイヤフラムシート）としての熱可塑性の樹脂フィルム５３を有している。なお、この振動膜は樹脂フィルムの他に、シリコーンゴム等により形成することも可能である。
【００３２】
ダイヤフラム５２は、ダイヤフラムフレーム５１内に配設されている。樹脂フィルム５３は、ダイヤフラムフレーム５１及びダイヤフラム５２の上面に固定されてダイヤフラム５２をダイヤフラムフレーム５１に対して振動可能に支持する。樹脂フィルム５３のダイヤフラムフレーム５１及びダイヤフラム５２への固定は、ダイヤフラムフレーム５１及びダイヤフラム５２の上面に接着剤を塗布した後に、加熱して圧着することにより行われる。樹脂フィルム５３のダイヤフラムフレーム５１とダイヤフラム５２との間の部分は、ボトムハウジング５とダイヤフラムユニット部３とで画成される空間に向って凸又は凹となる略円弧状に形成されており、ダイヤフラム５２の振動幅を確保して、その振動を阻害しないように構成されている。
【００３３】
ダイヤフラム５２は平面視で一部に円形部を持つ略長方形状を呈しており、剛性を確保するための凸部５４が形成されている。ダイヤフラム５２の樹脂フィルム５３が固定される平面部分には、穴部５５と、駆動ピンを固定するための駆動ピン固定用穴部５６とが形成されている。駆動ピン固定用穴部５６は、駆動ピン４１のダイヤフラム側平面部４２に対応する位置に形成されており、穴部５５と駆動ピン固定用穴部５６とは、ダイヤフラム５２の長辺方向に所定間隔隔てて形成されることになる。
【００３４】
ダイヤフラム５２の樹脂フィルム５３が固定される平面部分に形成された穴部５５は、樹脂フィルム５３に覆われており、樹脂フィルム５３の穴部５５に対応する部分には、ベント穴５７が形成されている。ベント穴５７は、ハウジング２外の空間と連通した、ダイヤフラムユニット部３とトップハウジング４とで画成される空間と、ボトムハウジング５とシールドプレート６及びダイヤフラムユニット部３とで画成される空間との気圧差、すなわちダイヤフラムユニット部３（ダイヤフラム５２及び樹脂フィルム５３）を挟んで画成されて形成される室間の気圧差を調整するためのものであり、レーザービームを照射することにより形成される。本実施形態においては、ベント穴５７の直径は３０μｍ程度に設定されている。
【００３５】
駆動ピン固定用穴部５６も、ダイヤフラム５２に樹脂フィルム５３が固定された状態においては、穴部５５と同様に、樹脂フィルム５３に覆われることになるが、樹脂フィルム５３の駆動ピン固定用穴部５６を覆う部分は、レーザービームを照射することにより、駆動ピン固定用穴部５６の外径よりも大きく除去される。
【００３６】
ボトムハウジング５とシールドプレート６とは、ボトムハウジング５の上面開口部に駆動ユニット部１０が配置された状態で、ダイヤフラムユニット部３が固定されたシールドプレート６にて覆った状態において、レーザー溶接及び接着剤等を用いて固定される。駆動ピン固定用穴部５６がダイヤフラム５２のダイヤフラム側平面部４２に対応する位置に形成されていることから、ボトムハウジング５とシールドプレート６及びダイヤフラムユニット部３（ダイヤフラムフレーム５１）とが固定された状態においては、駆動ピン固定用穴部５６の下方にダイヤフラム側平面部４２が位置することになる。ダイヤフラム側平面部４２が駆動ピン固定用穴部５６の下方に位置する状態において、駆動ピン固定用穴部５６から接着剤を塗布（注入）することにより、ダイヤフラム側平面部４２と駆動ピン固定用穴部５６とが固定されることになる。
【００３７】
次に、図６は本発明の実施形態に係る電気音響変換器を駆動するプッシュプル方式を示す回路図である。図６により中間タップを利用したプッシュプル方式によるコイル３６の駆動を説明する。図６に示すような回路を構成し、金属板Ｐ，Ｑ，Ｒにコイル３６の駆動信号を入力すると、金属板Ｑ（信号入力用端子部３９）を中間タップとしたプッシュプル回路を形成することができる。このようにプッシュプル方式による駆動を行うことができ、低電圧の状況下でもより強力な磁力を発生する磁気回路として使用することが可能になる。
【００３８】
上述したように、本実施形態に係る電気音響変換器１においては、複数の導線３２，３３により形成されたコイル３６をコイル側端子部３４，３７，３８，４４に接続する際に、導線３２，３３の端部に対応したコイル側端子部３４，３７，３８，４４にからげた後にアーク溶接等により固定して接続すれば良く、接続作業を容易に行うことができる。
【００３９】
また、本発明に係る電気音響変換器１では、導線３２の一端と接続される第１端子部である信号入力用端子部３５と、導線３３の一端及び導線３２の他端と接続される第２端子部である信号入力用端子部３９と、導線３３の他端と接続される第３端子部である信号入力用端子部４５とを備えているため、信号入力用端子部３５，３９，４５を利用して３端子の電気音響変換器として使用することも可能でありまた、信号入力用端子部３９に導線３２と導線３３が接続されていることから、信号入力用端子部３５，４５を利用して２端子の電気音響変換器として使用することも可能である。このように、２種類の端子形式の電気音響変換器として使用することが可能となる。
【００４０】
さらに、本発明に係る電気音響変換器１では、第２端子部である信号入力用端子部３９は、導線３３の一端と接続される第１絡げ部であるコイル側端子部３７と、導線３２の他端と接続される第２絡げ部であるコイル側端子部３８との２つの導線絡げ部を備えているため、導線絡げ部への導線３２，３３の接続が容易になる上、導線３２，３３の断線が発生するのを抑制することができる。
【００４１】
また、本発明に係る電気音響変換器１では、導線３２，３３がボビン部２１に友巻きされているため、信号入力用端子部３９を中間タップとするコイル３６を形成することが可能となり、この中間タップを利用してプッシュプル方式による駆動が可能となり、低電圧の状況下でもより強力な磁力を発生する磁気回路として使用することが可能になる。
【図面の簡単な説明】
【００４２】
【図１】本発明の実施形態に係る電気音響変換器の全体の外観を示す斜視図である。
【図２】本発明の実施形態に係る電気音響変換器の構成を示す分解斜視図である。
【図３】本発明の実施形態に係る電気音響変換器に含まれる、ボビン部の構成を示す正面図である。
【図４】本発明の実施形態に係る電気音響変換器に含まれる、ボビン部の構成を示す斜視図である。
【図５】本発明の実施形態に係る電気音響変換器に含まれる、ボビン部に導線を巻回した状態の構成を示す斜視図である。
【図６】本発明の実施形態に係る電気音響変換器を駆動するプッシュプル方式を示す回路図である。
【符号の説明】
【００４３】
１  電気音響変換器
２  ハウジング
３  ダイヤフラムユニット部
４  トップハウジング
５  ボトムハウジング
６  シールドプレート
８  切欠部
１０  駆動ユニット部
１１  アーマチュア部
１２  基板部
１３  側板部
１４  アーマチュア
１５  ノーズ
１６  ボビン突起
２１  ボビン部
２２  基部
２３  コイル巻回部
２４  磁石位置決め部
２５  穴部
２８  磁石保持部
３１  磁石
３２，３３  導線
３４，４４  コイル側端子部
３５，４５  信号入力用端子部
３６  コイル
３７，３８  コイル側端子部
３９  信号入力用端子部
４１  駆動ピン
５１  ダイヤフラムフレーム
５２  ダイヤフラム
５３  樹脂フィルム
６１  位置決孔
６２  開口部
６３  端子用開口部
【図１】
2005244380.tif 000003
【図２】
2005244380.tif 000004
【図３】
2005244380.tif 000005
【図４】
2005244380.tif 000006
【図５】
2005244380.tif 000007
【図６】
2005244380.tif 000008